(57)【要約】【課題】  パイプＰにパイプインシュレーター１０を装着する際、装置・治具・副資材などを必要としないうえ、装着作業の容易なパイプインシュレーター１０を提供する。【解決手段】  、筒状壁部を、パイプＰの外周面に接する部分と離間する部分とを交互に配置した凹凸に形成するとともに、その凹凸を筒の軸線方向に連続させて形成している。  これによれば、凹凸に形成した筒状壁部の折り襞が広がるため、装置・治具・副資材およびこれらに関する作業を必要としないうえ、パイプＰの外周面に対して面接触ではなく線接触となることにより滑り抵抗が大幅に軽減され、パイプＰへの装着作業を容易とすることができる。また、パイプＰへの装着後、パイプＰとパイプインシュレーター１０との間に空気層が形成されて断熱効果が発揮されることより、従来のパイプインシュレーターよりも肉厚を薄くすることができる。【選択図】    図１
2006200586.tif 000002
【特許請求の範囲】
【請求項１】
発泡合成樹脂からなり、円管（Ｐ）の外周に覆い被せて前記円管（Ｐ）の断熱・保護を行う略筒状のパイプ用断熱保護部材であり、
その筒状壁部を、前記円管（Ｐ）の外周面に接する部分と離間する部分とを交互に配置した凹凸に形成するとともに、その凹凸を筒の軸線方向に連続させて形成したことを特徴とするパイプ用断熱保護部材。
【請求項２】
発泡合成樹脂からなり、円管（Ｐ）の外周に覆い被せて前記円管（Ｐ）の断熱・保護を行う略筒状のパイプ用断熱保護部材であり、
その筒状壁部の内面側と外面側とで円周方向において交互に溝部（１２ｂ）を形成するとともに、その溝部（１２ｂ）を筒の軸線方向に連続させて形成したことを特徴とするパイプ用断熱保護部材。
【請求項３】
発泡合成樹脂からなり、円管（Ｐ）の外周に覆い被せて前記円管（Ｐ）の断熱・保護を行う略筒状のパイプ用断熱保護部材であり、
その筒状壁部の内面側と外面側とで円周方向において交互にスリット（１２ｃ）を形成するとともに、そのスリット（１２ｃ）を筒の軸線方向に連続させて形成したことを特徴とするパイプ用断熱保護部材。
【請求項４】
前記筒状壁部を連続押し出し成形加工にて形成したことを特徴とする請求項１ないし請求項３のいずれか１項に記載のパイプ用断熱保護部材。
【請求項５】
前記筒状壁部となる部材をシート状に形成し、矩形とした前記シート状部材（１１、１２）の両端面（１１ａ、１２ａ）を接合して前記筒状壁部を形成したことを特徴とする請求項１ないし請求項３のいずれか１項に記載のパイプ用断熱保護部材。
【発明の詳細な説明】
【技術分野】
【０００１】
本発明は、クーラー・ヒーターまたは車両用・定置式を含む空調装置や給湯機などの配管に取り付けて配管の断熱・保護を行うパイプ用断熱保護部材に関するものである。
【背景技術】
【０００２】
空調装置や給湯機などの温冷熱流体が流通する配管においては、一般的に配管外面を断熱保護部材によって被覆することで、断熱と保護とが図られている。このようなパイプ用断熱保護部材の従来技術として、下記の特許文献１〜３に示されるものなどがある。これらはいずれも半割り、もしくは一側面に切開部を有し、配管の側方から装着した後、嵌合・接着もしくは粘着テープなどで閉じるようになっている。
【０００３】
また、図５は、従来の一実施形態におけるパイプ用断熱保護部材１を、パイプＰに装着した状態を示す（ａ）側面図と（ｂ）断面図であり、車両用空調装置のクーラー配管やヒーター配管などに被せられるパイプインシュレーターと呼ばれるパイプ用断熱保護部材の例である。
【０００４】
このパイプインシュレーター１は、エチレン・プロピレンゴム（ＥＰＤＭ）などの材料にて長尺の発泡管を連続押し出し成形加工にて形成し、その管を所望の長さに切断し、素材の伸びを利用してパイプＰの一端から被せられる。図６と図７は、その従来のパイプ用断熱保護部材としてのパイプインシュレーター１を、パイプＰへ装着する作業の一例を説明する部分断面側面図である。
【０００５】
図６では、パイプＰのパイプインシュレーター１を被せる端部の他端側から圧縮空気を吹き込み、パイプインシュレーター１も反挿入側から空気を逃がさないようにして圧縮空気で膨らませながら装着する方法である。また図７は、パイプインシュレーター１の内面にオイルやシッカロール（ベビーパウダー）や石鹸水などの潤滑剤Ｊを塗布もしくは添付して、滑りを良くして装着する方法であり、パイプＰの端部に接続ジョイントなどが有る場合にはその上に円錐状の挿入治具を装着して挿入する場合もある。
【特許文献１】実開平６−４０５９４号公報
【特許文献２】特開平６−１３７４８５号公報
【特許文献３】特開２０００−３２０７９０号公報
【発明の開示】
【発明が解決しようとする課題】
【０００６】
このように、パイプインシュレーターなどの柔軟な断熱保護部材をパイプの一端から装着する方法は、配管に多様な曲げ形状が有っても自在に対応するため、長さを切り分けるだけで良く、コストを抑えたパイプ用断熱保護部材として用いることができるが、装着作業に上記した空気圧送装置や挿入治具とそれらとの着脱作業、潤滑剤などの副資材やそれらを塗布（もしくは添付）する作業などが必要であるという問題点がある。
【０００７】
本発明は、上記従来の問題点に鑑みて成されたものであり、その目的は、パイプに断熱保護部材を装着する際、装置・治具・副資材などを必要としないうえ、装着作業の容易なパイプ用断熱保護部材を提供することにある。
【課題を解決するための手段】
【０００８】
本発明は上記目的を達成するために、請求項１ないし請求項５に記載の技術的手段を採用する。すなわち、請求項１に記載の発明では、発泡合成樹脂からなり、円管（Ｐ）の外周に覆い被せて円管（Ｐ）の断熱・保護を行う略筒状のパイプ用断熱保護部材であり、その筒状壁部を、円管（Ｐ）の外周面に接する部分と離間する部分とを交互に配置した凹凸に形成するとともに、その凹凸を筒の軸線方向に連続させて形成したことを特徴としている。
【０００９】
この請求項１に記載の発明によれば、凹凸に形成した筒状壁部の折り襞が広がるため、装置・治具・副資材およびこれらに関する作業を必要としないうえ、円管（Ｐ）の外周面に対して面接触ではなく線接触となることにより滑り抵抗が大幅に軽減され、円管（Ｐ）への装着作業を容易とすることができる。
【００１０】
また、円管（Ｐ）への装着後、円管（Ｐ）とパイプ用断熱保護部材（１０）との間に空気層が形成されて断熱効果が発揮されることより、従来のパイプインシュレーター（１）よりも肉厚を薄くすることができる。また、筒状壁部を凹凸に形成していることから、肉厚を薄くしても保護性能を損なうことは無い。この薄肉化により材料を低減することができ、コストを安く抑えることができる。
【００１１】
また、請求項２に記載の発明では、発泡合成樹脂からなり、円管（Ｐ）の外周に覆い被せて円管（Ｐ）の断熱・保護を行う略筒状のパイプ用断熱保護部材であり、その筒状壁部の内面側と外面側とで円周方向において交互に溝部（１２ｂ）を形成するとともに、その溝部（１２ｂ）を筒の軸線方向に連続させて形成したことを特徴としている。
【００１２】
この請求項２に記載の発明によれば、内面側と外面側とで円周方向において交互に溝部（１２ｂ）を形成した筒状壁部が、折り襞状となって広がるため、装置・治具・副資材およびこれらに関する作業を必要としないうえ、円管（Ｐ）の外周面に対する接触面積が減ることにより滑り抵抗が軽減され、円管（Ｐ）への装着作業を容易とすることができる。
【００１３】
また、円管（Ｐ）への装着後、円管（Ｐ）とパイプ用断熱保護部材（１０）との間に空気層が形成されて断熱効果が発揮されることより、断熱性能には影響が無い。また、溝部（１２ｂ）の部分以外は従来と同等の厚さのため、保護性能にも影響が無い。そして、溝部（１２ｂ）の分だけ材料を低減することができ、コストを安く抑えることができる。
【００１４】
また、請求項３に記載の発明では、発泡合成樹脂からなり、円管（Ｐ）の外周に覆い被せて円管（Ｐ）の断熱・保護を行う略筒状のパイプ用断熱保護部材であり、その筒状壁部の内面側と外面側とで円周方向において交互にスリット（１２ｃ）を形成するとともに、そのスリット（１２ｃ）を筒の軸線方向に連続させて形成したことを特徴としている。
【００１５】
この請求項３に記載の発明によれば、内面側と外面側とで円周方向において交互にスリット（１２ｃ）を形成した筒状壁部が、折り襞状となって広がるため、装置・治具・副資材およびこれらに関する作業を必要としないうえ、円管（Ｐ）の外周面に対する緊迫力が軽減されることにより滑り抵抗が軽減され、円管（Ｐ）への装着作業を容易とすることができる。また、円管（Ｐ）への装着後は従来と同等の厚さのため、断熱性能や保護性能には影響が無い。
【００１６】
また、請求項４に記載の発明では、請求項１ないし請求項３のいずれか１項に記載のパイプ用断熱保護部材において、筒状壁部を連続押し出し成形加工にて形成したことを特徴としている。この請求項４に記載の発明によれば、上記効果を持ったパイプ用断熱保護部材（１０）を容易かつ安価に製造することができる。
【００１７】
また、請求項５に記載の発明では、請求項１ないし請求項３のいずれか１項に記載のパイプ用断熱保護部材において、筒状壁部となる部材をシート状に形成し、矩形としたシート状部材（１１、１２）の両端面（１１ａ、１２ａ）を接合して筒状壁部を形成したことを特徴としている。
【００１８】
この請求項５に記載の発明によれば、このような形成方法によっても上記効果を持ったパイプ用断熱保護部材（１０）を容易かつ安価に製造することができるうえ、円管（Ｐ）をシート状部材（１１、１２）で包み込むように被せた後に両端面（１１ａ、１２ａ）を接合する装着方法とすることもできる。ちなみに、上記各手段の括弧内の符号は、後述する実施形態に記載の具体的手段との対応関係を示す一例である。
【発明を実施するための最良の形態】
【００１９】
（第１実施形態）
以下、本発明の実施の形態について添付した図面を参照しながら詳細に説明する。図１は、本発明の第１実施形態におけるパイプインシュレーター（パイプ用断熱保護部材）１０を、パイプ（円管）Ｐに装着した状態を示す（ａ）側面図と（ｂ）断面図である。本実施形態は、本発明のパイプインシュレーター１０を車両用空調装置のクーラー配管やヒーター配管などに被せてパイプＰの断熱および保護に用いた例である。
【００２０】
このパイプインシュレーター１０は、エチレン・プロピレンゴム（ＥＰＤＭ）の材料にて、断面が略８角の星形多角形状で長尺の発泡管を連続押し出し成形加工にて形成し、その管を所望の長さに切断し、上記形状による広がりを利用してパイプＰの一端から被せるようになっている。
【００２１】
また図２は、波型シート状部材（シート状部材）１１を筒状に接合して図１のパイプインシュレーター１０を作る例であり、（ａ）は波型シート状部材１１の斜視図、（ｂ）は接合面（端面）１１ａ同士を接着剤などで接合したパイプインシュレーター１０を、パイプＰに装着した状態を示す断面図である。
【００２２】
次に、本実施形態での特徴と、その効果について述べる。まず、筒状壁部を、パイプＰの外周面に接する部分と離間する部分とを交互に配置した凹凸に形成するとともに、その凹凸を筒の軸線方向に連続させて形成している。これによれば、凹凸に形成した筒状壁部の折り襞が広がるため、装置・治具・副資材およびこれらに関する作業を必要としないうえ、パイプＰの外周面に対して面接触ではなく線接触となることにより滑り抵抗が大幅に軽減され、パイプＰへの装着作業を容易とすることができる。
【００２３】
また、パイプＰへの装着後、パイプＰとパイプインシュレーター１０との間に空気層が形成されて断熱効果が発揮されることより、従来のパイプインシュレーター１よりも肉厚を薄くすることができる。また、筒状壁部を凹凸に形成していることから、肉厚を薄くしても保護性能を損なうことは無い。この薄肉化により材料を低減することができ、コストを安く抑えることができる。また、筒状壁部を連続押し出し成形加工にて形成している。これによれば、上記効果を持ったパイプインシュレーター１０を容易かつ安価に製造することができる。
【００２４】
また、筒状壁部となる部材をシート状に形成し、矩形とした波型シート状部材１１の接合面１１ａ同士を接着剤などで接合して筒状壁部を形成している。これによれば、このような形成方法によっても上記効果を持ったパイプインシュレーター１０を容易かつ安価に製造することができるうえ、パイプＰを波型シート状部材１１で包み込むように被せた後に接合面１１ａ同士を接合する装着方法とすることもできる。
【００２５】
（第２実施形態）
図３は、両面に溝部１２ｂを交互に設けた溝付シート状部材（シート状部材）１２を筒状に接合して作った本発明の第２実施形態におけるパイプインシュレーター１０の例であり、（ａ）は溝付シート状部材１２の斜視図、（ｂ）は接合面（端面）１２ａ同士を接着剤で接合したパイプインシュレーター１０を、パイプＰに装着した状態を示す断面図である。上述の実施形態と異なる特徴として、筒状壁部の内面側と外面側とで円周方向において交互に溝部１２ｂを形成するとともに、その溝部１２ｂを筒の軸線方向に連続させて形成している。
【００２６】
これによれば、内面側と外面側とで円周方向において交互に溝部１２ｂを形成した筒状壁部が、折り襞状となって広がるため、装置・治具・副資材およびこれらに関する作業を必要としないうえ、パイプＰの外周面に対する接触面積が減ることにより滑り抵抗が軽減され、パイプＰへの装着作業を容易とすることができる。
【００２７】
また、パイプＰへの装着後、パイプＰとパイプインシュレーター１０との間に空気層が形成されて断熱効果が発揮されることより、断熱性能には影響が無い。また、溝部１２ｂの部分以外は従来と同等の厚さのため、保護性能にも影響が無い。そして、溝部１２ｂの分だけ材料を低減することができ、コストを安く抑えることができる。
【００２８】
（その他の実施形態）
図４の（ａ）〜（ｅ）は、その他の実施形態におけるパイプインシュレーター１０の部分断面図である。先ず、図１・図２の第１実施形態では凹凸形状が略三角形状であったが、図４（ａ）・（ｂ）に示すように略半円形状や略矩形形状であっても良い。また、図３の第２実施形態では溝部１２ｂが略三角形状であったが、図４（ｃ）・（ｄ）に示すように略半円形状や略矩形形状であっても良い。
【００２９】
また、図４（ｅ）では、筒状壁部の内面側と外面側とで円周方向において交互にスリット１２ｃを形成するとともに、そのスリット１２ｃを筒の軸線方向に連続させて形成している。これによれば、内面側と外面側とで円周方向において交互にスリット１２ｃを形成した筒状壁部が、折り襞状となって広がるため、装置・治具・副資材およびこれらに関する作業を必要としないうえ、パイプＰの外周面に対する緊迫力が軽減されることにより滑り抵抗が軽減され、パイプＰへの装着作業を容易とすることができる。
【００３０】
また、パイプＰへの装着後は従来と同等の厚さのため、断熱性能や保護性能には影響が無い。なお、このスリット１２ｃを形成したパイプインシュレーター１０は、連続押し出し成形加工で形成しても良いし、スリット１２ｃを形成した溝付シート状部材１２の端面同士を接合して形成しても良い。
【００３１】
また、図１〜３では、本発明のパイプインシュレーター１０が８本の凸部と凹部、もしくは内面と外面とにそれぞれ８本の溝部１２ｂを持った形状となっているが、本発明はこの凹凸部や溝部１２ｂ、およびスリット１２ｃの数を限定するものではない。また、接合方法は接着に限らず、粘着テープなどを用いて接合面１１ａ・１２ａの外方から貼り合わせる方法であっても良い。
【図面の簡単な説明】
【００３２】
【図１】本発明の第１実施形態におけるパイプインシュレーター１０を、パイプＰに装着した状態を示す（ａ）側面図と（ｂ）断面図である。
【図２】波型シート状部材１１を筒状に接合して図１のパイプインシュレーター１０を作る例であり、（ａ）は波型シート状部材１１の斜視図、（ｂ）は接合面１１ａで接合したパイプインシュレーター１０を、パイプＰに装着した状態を示す断面図である。
【図３】両面に溝部１２ｂを交互に設けた溝付シート状部材１２を筒状に接合して作った本発明の第２実施形態におけるパイプインシュレーター１０の例であり、（ａ）は溝付シート状部材１２の斜視図、（ｂ）は接合面１２ａで接合したパイプインシュレーター１０を、パイプＰに装着した状態を示す断面図である。
【図４】（ａ）〜（ｅ）は、その他の実施形態におけるパイプインシュレーター１０の部分断面図である。
【図５】従来の一実施形態におけるパイプ用断熱保護部材１を、パイプＰに装着した状態を示す（ａ）側面図と（ｂ）断面図である。
【図６】従来のパイプ用断熱保護部材１を、パイプＰへ装着する作業の一例を説明する部分断面側面図である。
【図７】従来のパイプ用断熱保護部材１を、パイプＰへ装着する作業の一例を説明する部分断面側面図である。
【符号の説明】
【００３３】
１０…パイプインシュレーター（パイプ用断熱保護部材）
１１…波型シート状部材（シート状部材）
１１ａ…接合面（端面）
１２…溝付シート状部材（シート状部材）
１２ａ…接合面（端面）
１２ｂ…溝部
１２ｃ…スリット
Ｐ…パイプ（円管）
【図１】
2006200586.tif 000003
【図２】
2006200586.tif 000004
【図３】
2006200586.tif 000005
【図４】
2006200586.tif 000006
【図５】
2006200586.tif 000007
【図６】
2006200586.tif 000008
【図７】
2006200586.tif 000009